(57)【要約】【課題】  入院患者が地震等の災害に遭遇して避難する場合に携行すれば、緊急避難時に必要な一般的用品のほか、その患者の病気に関して必要な薬剤や処方箋ないし治療情報など、或は、病院内の地図、病院周辺の地図、避難所や救護所までの地図など、個々の患者の夫々が必要とする固有の用品を持出すことができるようにした入院患者などにとって有用な緊急避難用缶を提供すること。【解決手段】  踏み台及び／又はスツールなどとして使用できる蓋付き容器１の内部を少なくとも２つの収容区画Ｘ，Ｙに分け、一の区画Ｘに水，非常食，懐中電灯などの一般的防災用品Ａを収容すると共に、他の区画Ｙに、その患者が日頃服用している薬剤，当該患者の処方箋（病名，入院日，主治医，入院病棟などの入院情報とカルテなどによる治療情報やアレルギー情報を含む）、院内，病院周辺，避難所までの地図などの当該患者専用の避難用品Ｂを収容し、この容器１を前記患者のベッド周辺などに配置するようにしたこと。【選択図】図１
2005287848.tif 000002
【特許請求の範囲】
【請求項１】
踏み台及び／又はスツールなどとして使用できる蓋付き容器の内部を少なくとも２つの収容区画に分け、一の区画に水，非常食，懐中電灯などの一般的防災用品を収容すると共に、他の区画に、その患者が日頃服用している薬剤，当該患者の処方箋（病名，入院日，主治医，入院病棟などの入院情報とカルテなどによる治療情報やアレルギー情報を含む）、院内，病院周辺，避難所までの地図などの当該患者専用の避難用品を収容し、この容器を前記患者のベッド周辺などに配置するようにしたことを特徴とする入院患者等の避難用缶。
【請求項２】
他の区画は、蓋付き又は蓋無しの内部容器により形成した請求項１の入院患者等の避難用缶。
【請求項３】
蓋付き内部容器は、その蓋の締結手段又は施錠手段を具備した請求項２の入院患者等の避難用缶。
【請求項４】
患者が病院などの施錠に入院乃至入居したとき、その患者専用の避難用品を非常持出しの避難用缶に収容して当該缶を当該患者の部屋乃至ベッド周辺に設置し、所定の期間経過ごとに、又は、投与薬剤の処方が変わったときにその患者専用の避難用品のうち少なくとも薬剤を入替え、当該患者が退院するときこの避難用缶を携行して退院させることを特徴とする避難用缶の配備方式。
【発明の詳細な説明】
【技術分野】
【０００１】
本発明は、病院や介護施設、或は、老人ホームなどのように、病気など様々な障害によって当該病院や施設に入院や入居などをしている人（以下、本明細書では単に「患者」という）が、地震や火災などの災害発生時に避難する際、各人が避難時に携行して有用な用品等を収容した避難用缶に関する。
【背景技術】
【０００２】
従来から地震などの天災や火災などの非常時に備え、緊急持出品をリュックなどの入れ物に収容して家族の誰もが緊急時にいつでも持出せるようにパッケージした、「避難袋」や「緊急持出品」などと称される用品が市販され、一般家庭などに普及しつつある。
【０００３】
しかし、従来の緊急避難袋は、一般の健常な者を対象としたものであるため、例えば、入院中の病人などのような健常でない者にとって必要な用品については特段の考慮は払われておらず、問題のあることが懸念されている。
【０００４】
即ち、地震等に遭った入院患者が緊急避難のために、上記の一般的な避難袋を携行して避難しても、その避難患者が自分の病気の正確な名称、現在服用している薬剤の正確な名称、或は、自分の病歴などを避難先において正確に再現できないと、救護所で待ち受ける医師や看護師は、適切な緊急措置（投薬，注射などを含む）を迅速かつ正しく行うことができないという問題である。
【０００５】
しかし乍ら、体力，気力とも一般健常人に比べれば大幅に低下している入院患者に上記のような自分の病気に関する諸々の情報を緊急避難先で正確に再現させることは、不可能に近いものがある。
【発明の開示】
【発明が解決しようとする課題】
【０００６】
そこで本発明では、上記のような入院患者が地震等の災害に遭遇して避難する場合に携行すれば、緊急避難時に必要な一般的用品のほか、その患者の病気に関して必要な薬剤や処方箋ないし治療情報など、或は、病院内の地図、病院周辺の地図、避難所や救護所までの地図など、個々の患者の夫々が必要とする固有の用品を持出すことができるようにした入院患者などにとって有用な緊急避難用缶を提供することを課題とする。
【課題を解決するための手段】
【０００７】
上記課題を解決することを目的としてなされた本発明避難用缶の構成は、踏み台及び／又はスツールなどとして使用できる蓋付き容器の内部を少なくとも２つの収容区画に分け、一の区画に水，非常食，懐中電灯などの一般的防災用品を収容すると共に、他の区画に、その患者が日頃服用している薬剤，当該患者の処方箋（病名，入院日，主治医，入院病棟などの入院情報とカルテなどによる治療情報やアレルギー情報を含む）、院内，病院周辺，避難所までの地図などの当該患者専用の避難用品を収容し、この容器を前記患者のベッド周辺などに配置するようにしたことを特徴とするものである。
ここで、本発明における避難用缶には、蓋付き金属製缶のほか、非金属製の蓋付き缶、並びに、形態が缶状ではない金属製又は非金属製の箱状の蓋付き容器が含まれるものとする。
【０００８】
本発明では、上記の避難用缶を、患者が病院などの施設に入院乃至入居したときにその患者専用の避難用品を収容して当該患者の部屋内、好ましくはベッド周辺に設置し、所定の期間経過ごとに、又は投与薬剤の処方が変わったときにその患者専用の避難用品のうち少なくとも薬剤を入替え、当該患者が退院するときこの避難用缶を携行させて退院させるようにした避難用缶の配備システムを採れば、退院後には前記避難用缶がその者の緊急避難用の持出品として利用できることとなる。
【発明の効果】
【０００９】
踏み台及び／又はスツールなどとして使用できる蓋付き容器の内部を少なくとも２つの収容区画に分け、一の区画に水，非常食，懐中電灯などの一般的防災用品を収容すると共に、他の区画に、その患者が日頃服用している薬剤，当該患者の処方箋（病名，入院日，主治医，入院病棟などの入院情報とカルテなどの治療情報を含む）、院内，病院周辺，避難所までの地図などの当該患者専用の避難用品を収容し、この容器を前記患者のベッド周辺などに配置する避難用缶に形成したので、夫々の入院患者が夫々に固有の薬剤など避難用品と一般的な防災用品を収容して災害に備えることができる。また、避難用缶は、患者が病院などに入院（入所）したときにその患者専用の避難用品を収容して当該患者の部屋乃至ベッド周辺に設置し、所定の期間経過ごとに、又は投与薬剤の処方が変わったときに患者専用の避難用品のうち少なくとも薬剤を入替え、当該患者が退院するときこの避難用缶を携行させて退院させることにより、避難用缶の配備システムを構築することができる。
【発明を実施するための最良の形態】
【００１０】
次に本発明による患者専用の避難用缶の実施の形態例について図を参照して説明する。図１は本発明避難用缶の一例を模式的に示した正断面図である。
【００１１】
図において、１は、一例として直径20〜30cm程度、高さ25〜35cm程度であって、上部が全面開口された金属製の缶本体、２はその缶本体１の開口部に被せた蓋で、ここでは上面にパッド材などを含む取外しできる座面３が形成されている。４は前記缶本体１の上部外周に架設したグリップ（握り）4aを備えた半円弧状の提手（ハンドル）で、倒せばグリップ側が缶の側面に倒れるように形成されている。前記提手４は、図示した半円弧状に限られるものではない。また、この提手４において、缶本体１をベッドや車椅子に引掛けることができる。なお、缶本体１の壁面は強度を考慮して適宜態様でリブを形成したものもある。また、缶本体１の胴外面や蓋２には、病院名などの施設名称，住所，電話番号など記載しておくことが望ましい。
【００１２】
上記缶本体１は、一例として上部から大略１／３程度の位置に、缶本体１の内面又は外面に凸状に出た段部５を線状に周設、又は、適宜ピッチで周設し、該段部５に、皿状の中蓋６を記載できるように形成されている。
【００１３】
上記缶本体１は、中蓋６で内部が上下２段に区画されることにより、缶本体１は、その底部1aを底とする収容部Ｘと、中蓋６を底とする収容部Ｘを有する本発明避難用缶Ｃの一例に形成される。
【００１４】
本発明では、上記中蓋６による収容部Ｙを、図１の例とは異なる態様で形成することもある。即ち、上記例の中蓋６を深目円形乃至矩形の容器状に形成して内部容器とすると共に、この容器に施錠手段や締め金具付の蓋を装着するのである。この蓋付き内部容器も、金属製又は非金属製のいづれであってもよい。また、本発明では、缶本体１の蓋２にも、図示しない施錠手段を設けたり、緊急持出中にその蓋２が脱落したり外れるのを防ぐため、締付け金具やベルトを装着することがある。なお、本発明では、缶本体の内部を３以上に区画したり収容部に形成することもある。
【００１５】
２つの収容部Ｘ，Ｙを形成した本発明避難用缶Ｃは、その収容部Ｘに、一般的な非常用乃至防災用の諸用品、例えば、水やチョコレート，ビスケット等の非常食，懐中電灯，ラジオ，筆記具，メモ用紙、いわゆる救急セット、充電器などの一般に防災用や非常用と考えられる一般防災用品Ａを収納する。前記諸用品Ａは一例であって、収容部Ｘにはこれらとは異なる用品が収納されてもよい。
【００１６】
一方、収容部Ｙは、個々の患者向けの避難用品Ｂの収容部であるから、一例として次のような個々の患者専用の避難用品が収容される。即ち、第一にその患者氏名，年齢，性別，血液型，住所などの個人情報、第二にその患者が医師の処方に基づき日々服用している薬剤の、例えば少なくとも３日分の薬剤、第三にその患者の処方箋情報（この処方箋情報には、その患者の入院日，病名，主治医，入院病棟や病室などの情報を含む）、第四に病院の地図、病院周辺の地図，避難所や救護所の地図（住所，電話番号を含む）などの地図情報を含む避難用品Ｂが収容される。上記における夫々の情報は、紙媒体やディスク状などの記録媒体に記録した状態で収容されるものとする。
【００１７】
上記収容部Ｙの収容用品において、その患者用の薬剤や治療情報については、入院中は当該病院等の責任において所定の期間経過の度に新しい薬剤と入替えたり、或は、処方が変って服用薬剤が変更された場合には、その薬剤に入替えるなど、常に最新の処方に基づく薬剤や治療情報などが本発明避難用缶に備えられるようにメンテナンスされる。なお、薬剤管理は、当該病院の各入院患者について義務付けられている投薬指導時に薬剤師又は看護師が行う。なお、収容部Ｘの水や非常食などについても一定期間経過ごとにそれらの入替えをすることは勿論である。
【００１８】
上記のように形成される本発明避難用缶Ｃは、次のような手順で準備されて配置される。
例えば、ある病院に患者が入院すると、その患者の入院時の個々の情報に基づいて、収容部Ｙに収容される前述した第一の情報と第三，第四の情報の内容を確定し、夫々の確定情報をそれらの記録媒体（紙やディスク）に記録し、その患者用の薬剤とともに前記記録媒体を当該収容部Ｙに収容する。収容部Ｘ，Ｙの他の用品については、予め準備して収容しておく。
【００１９】
必要な用品などが収容部Ｘ，Ｙに収容された本発明避難用缶Ｃは、当該入院患者のベッドサイド（周辺）などに配置され、その患者にこの缶Ｃの中にどのような用品が収納されているか、万一の非常時の場合には、他の携行品とともに必ず持って避難することなどが病院や施設側から説明される。本発明避難用缶Ｃは、蓋２の上面に座面３が形成されているので、スツールとして利用できること、或は、踏み台としても利用できることも患者に説明される。また、この缶Ｃは、その形態から避難所での簡易テーブルや物入れに利用でき、中蓋６やそれに代わる内部容器もそれを物入れなどに利用することができる。
【００２０】
上記要領でベッドサイドに配設された本発明避難用缶Ｃは、地震等の避難すべき災害などが発生しなければ所定タイミングにより収納部Ｙの薬剤の入替え，収容部Ｘの水や非常食の入替えをして日常のメンテナンスをする。
万一の非常事態発生では、患者が他の携行品とともに本発明避難用缶Ｃを携えて避難する。この避難においては収容部Ｙの地図情報を参照して避難場所への道程などを把握して避難し、避難先において収容部Ｘ，Ｙに収容されている薬剤を始めとする用品を利用した避難態勢をとる。
【００２１】
幸いにして本発明避難用缶Ｃを持出す必要のあるような事態が発生せずに、その患者が退院する場合には、当該避難用缶Ｃは退院患者への退院祝などとしてその患者に寄贈すれば、送られた者は自宅などにその避難用缶Ｃを配置して災害などに備えることができる。
【産業上の利用可能性】
【００２２】
本発明は以上の通りであって、踏み台及び／又はスツールなどとして使用できる蓋付き容器の内部を少なくとも２つの収容区画に分け、一の区画に水，非常食，懐中電灯などの一般的防災用品を収容すると共に、他の区画に、その患者が日頃服用している薬剤，当該患者の処方箋（病名，入院日，主治医，入院病棟などの入院情報やカルテなどの治療情報やアレルギー疾患の有無とその内容などを含む）、院内，病院周辺，避難所までの地図などの当該患者専用の避難用品を収容し、この容器を前記患者のベッド周辺などに配置するようにして避難用缶を形成し、この避難用缶を、患者が病院などに入院（入所や入居）したときにその患者専用の避難用品を収容して当該患者の部屋乃至ベッド周辺に設置し、所定の期間経過ごとに、又は投与薬剤の処方が変わったときに患者専用の避難用品のうち薬剤などを入替え、当該患者が退院するときこの避難用缶を携行して退院させるようにしたから、従来の避難用缶が専ら健常者を念頭においたものでしかなく、それ故に入院患者など病人やその他の弱者に対する配慮が欠けていた点をほぼ完璧に補うことができる。
【００２３】
また、本発明避難用缶は、入院中或は施設に入所（居）中の病人等の弱者だけではなく、退院（退所など）して自宅に戻る人がその人の自宅などに持帰れるようにしたことにより、新たな入院患者に対しては新たな本発明避難用缶が当てがわれ、退院した者にはそれが本人のものとなるので、避難用缶の普及に寄与するところ大である。
【図面の簡単な説明】
【００２４】
【図１】本発明避難用缶の一例を模式的に示した正断面図。
【符号の説明】
【００２５】
１        缶本体
２        蓋
３        座面
４        提手
５        凸状に出た段部
６        中蓋
Ｘ，Ｙ    収容部
Ａ        一般防災用品
Ｂ        患者専用の避難用品
【図１】
2005287848.tif 000003